(57)【要約】【課題】サービス提供側の情報を周囲の人に効率よく知らせる。【解決手段】投影装置は、情報を表示する表示画像を被投影面に投影する投影部と、前記投影部を支持するとともに、移動可能な被装着体に装着される支持部と、前記移動可能な被装着体に関する情報を取得し、前記移動可能な被装着体に関する情報に応じて、前記投影部に投影させる前記表示画像を変更する制御部とを備える。【選択図】図２
2016134867.tif 000002
【特許請求の範囲】
【請求項１】
情報を表示する表示画像を被投影面に投影する投影部と、
前記投影部を支持するとともに、移動可能な被装着体に装着される支持部と、
前記移動可能な被装着体に関する情報を取得し、前記移動可能な被装着体に関する情報に応じて、前記投影部に投影させる前記表示画像を変更する制御部と
を備えることを特徴とする投影装置。
【請求項２】
前記移動可能な被装着体に関する情報と、前記表示画像とを対応付けて記憶する記憶部を備え、
前記制御部は、前記移動可能な被装着体に関する情報に対応する前記表示画像を前記記憶部から取得し、取得した当該表示画像を前記投影部に投影させる
ことを特徴とする請求項１に記載の投影装置。
【請求項３】
前記移動可能な被装着体に関する情報には、使用者の役割を示す役割情報が含まれ、
前記制御部は、前記役割情報を取得し、取得した前記役割情報に応じて、前記投影部に投影させる前記表示画像に表示する情報を変更する
ことを特徴とする請求項１又は請求項２に記載の投影装置。
【請求項４】
前記移動可能な被装着体に関する情報には、使用者の場所を示す場所情報が含まれ、
前記制御部は、前記場所情報を取得し、取得した前記場所情報に応じて、前記投影部に投影させる前記表示画像に表示する情報を変更する
ことを特徴とする請求項１から請求項３のいずれか一項に記載の投影装置。
【請求項５】
前記制御部は、時間帯に応じて、前記投影部に投影させる前記表示画像に表示する情報を変更する
ことを特徴とする請求項１から請求項４のいずれか一項に記載の投影装置。
【請求項６】
前記制御部は、他の使用者が使用する他の投影装置が所定の距離内に存在するか否かに応じて、前記投影部に投影させる前記表示画像に表示する情報を変更する
ことを特徴とする請求項１から請求項５のいずれか一項に記載の投影装置。
【請求項７】
前記投影部は、前記被投影面と前記投影部との間の距離を検出する距離検出部を備え、
前記制御部は、前記距離検出部によって検出された距離に基づく前記被投影面に対する前記投影部の相対位置に応じて、前記表示画像の大きさあるいはフォーカスを調整する
ことを特徴とする請求項１から請求項６のいずれか一項に記載の投影装置。
【請求項８】
前記移動可能な被装着体には、前記投影部を装着する使用者が含まれる
ことを特徴とする請求項１から請求項７のいずれか一項に記載の投影装置。
【発明の詳細な説明】
【技術分野】
【０００１】
本発明は、投影装置に関する。
【背景技術】
【０００２】
現在、店舗等において、顧客が店員および係員の存在を知る手段としてはユニフォームや名札などに限られており、近づかないと気付かないことも多い。広い店舗などにおいては顧客が店員の居場所を把握しにくく、店員を探している状況も見受けられる。また、例えば、ドラッグストアなどにおいて、店舗を訪れた顧客がせっかく店員を見つけて声をかけたとしても、薬剤師などの専門の店員でない場合には専門の店員を呼んでもらう時間もかかり、待たされることもある。店側としても、顧客のニーズにスムーズに対応することができない。
【０００３】
ところで、従来、周囲の人に所定の情報を報知する手段の一例として、例えば、オフィス等において、設置されているファクシミリや複写機等の事務機の存在や可動状態を社員に報知する目的で、天井や壁に事務機の情報を投影する技術が知られている（例えば、特許文献１〜特許文献３）。
【先行技術文献】
【特許文献】
【０００４】
【特許文献１】特開平５−２１２９４３号公報
【特許文献２】特開平９−２８４４５５号公報
【特許文献３】特開２００４−２４０７６５号公報
【発明の概要】
【発明が解決しようとする課題】
【０００５】
しかしながら、上述した投影技術では、設置されている固定機器の状態を近傍の被投影面に投影して報知するだけである。上述した投影技術では、例えば、店舗等において、常に移動している店員や係員の居場所や状況などのサービス提供側の情報を周囲の人に効率よく知らせることは困難であった。
【０００６】
本発明は、上記問題を解決すべくなされたもので、その目的は、サービス提供側の情報を周囲の人に効率よく知らせることのできる投影装置を提供することにある。
【課題を解決するための手段】
【０００７】
上記問題を解決するために、本発明の一態様は、情報を表示する表示画像を被投影面に投影する投影部と、前記投影部を支持するとともに、移動可能な被装着体に装着される支持部と、前記移動可能な被装着体に関する情報を取得し、前記移動可能な被装着体に関する情報に応じて、前記投影部に投影させる前記表示画像を変更する制御部とを備えることを特徴とする投影装置である。
【０００８】
また、本発明の一態様は、上記の投影装置において、前記移動可能な被装着体に関する情報と、前記表示画像とを対応付けて記憶する記憶部を備え、前記制御部は、前記移動可能な被装着体に関する情報に対応する前記表示画像を前記記憶部から取得し、取得した当該表示画像を前記投影部に投影させることを特徴とする。
【０００９】
また、本発明の一態様は、上記の投影装置において、前記移動可能な被装着体に関する情報には、使用者の役割を示す役割情報が含まれ、前記制御部は、前記役割情報を取得し、取得した前記役割情報に応じて、前記投影部に投影させる前記表示画像に表示する情報を変更することを特徴とする。
【００１０】
また、本発明の一態様は、上記の投影装置において、前記移動可能な被装着体に関する情報には、使用者の場所を示す場所情報が含まれ、前記制御部は、前記場所情報を取得し、取得した前記場所情報に応じて、前記投影部に投影させる前記表示画像に表示する情報を変更することを特徴とする。
【００１１】
また、本発明の一態様は、上記の投影装置において、前記制御部は、時間帯に応じて、前記投影部に投影させる前記表示画像に表示する情報を変更することを特徴とする。
【００１２】
また、本発明の一態様は、上記の投影装置において、前記制御部は、他の使用者が使用する他の投影装置が所定の距離内に存在するか否かに応じて、前記投影部に投影させる前記表示画像に表示する情報を変更することを特徴とする。
【００１３】
また、本発明の一態様は、上記の投影装置において、前記投影部は、前記被投影面と前記投影部との間の距離を検出する距離検出部を備え、前記制御部は、前記距離検出部によって検出された距離に基づく前記被投影面に対する前記投影部の相対位置に応じて、前記表示画像の大きさあるいはフォーカスを調整することを特徴とする。
【００１４】
また、本発明の一態様は、上記の投影装置において、前記移動可能な被装着体には、前記投影部を装着する使用者が含まれることを特徴とする。
【発明の効果】
【００１５】
本発明によれば、サービス提供側の情報を周囲の人に効率よく知らせることができる。
【図面の簡単な説明】
【００１６】
【図１】第１の実施形態によるプロジェクタの一例を示す外観図である。
【図２】第１の実施形態によるプロジェクタの一例を示す機能ブロック図である。
【図３】第１の実施形態によるプロジェクタの表示画像の例を示す図である。
【図４】第１の実施形態によるプロジェクタの動作の一例を示すフローチャートである。
【図５】従来の顧客の状況と、第１の実施形態によるプロジェクタの動作の一例とを説明する図である。
【図６】第１の実施形態によるプロジェクタの動作の別の一例を説明する図である。
【図７】第２の実施形態によるプロジェクタの一例を示す機能ブロック図である。
【図８】第２の実施形態によるプロジェクタの動作の一例を示すフローチャートである。
【図９】第２の実施形態によるプロジェクタの動作の一例を説明する図である。
【発明を実施するための形態】
【００１７】
以下、本発明の一実施形態によると投影装置について、図面を参照して説明する。
［第１の実施形態］
図１は、第１の実施形態によるプロジェクタ１の一例を示す外観図である。
なお、本実施形態では、投影装置の一例としてユニフォーム５０に装着されるプロジェクタ１について説明する。
【００１８】
図１に示すように、本実施形態のプロジェクションユニットは、店舗において店員３１（可能な被装着体の一例）が着用するユニフォーム５０であって、一部にサイズの小さいプロジェクタ１が内蔵されたものである。以下、プロジェクションユニットを単にユニフォーム５０と称する。なお、本実施形態において、任意の店員又は単に店員を示す場合に、店員３１（後述する図５（Ａ）参照）として説明する。
【００１９】
プロジェクタ１（投影装置の一例）は、例えば、ユニフォーム５０の肩部分に内蔵され、天井に向けて画像を投影する。このプロジェクタ１から天井に向けて投影された表示画像（表示画像）により、店内において常に動き回っている店員３１の位置やその担当エリアなどを、店舗を訪れた顧客が容易に把握できるようにする。
プロジェクタ１は、投影部２を支持するとともに、移動可能な被装着体（例えば、店員３１）に装着される支持部１０を備えている。すなわち、プロジェクタ１は、支持部１０を介して、ユニフォーム５０に取り付けられている。また、プロジェクタ１は、バッテリ３を備えている。
【００２０】
バッテリ３は、プロジェクタ１が表示画像を投影するための電力をプロジェクタ１に供給する。なお、図１に示す例では、バッテリ３は、ユニフォーム５０に取り付けられているが、例えば、エプロンのポケットや、ユニフォーム５０の内ポケットなどに取り付けられるようにしてもよい。
【００２１】
図２は、本実施形態によるプロジェクタ１の一例を示す機能ブロック図である。
この図に示すように、プロジェクタ１は、投影部２と、制御部４と、姿勢維持部５と、入力部１１と、エリア検出部１２と、タイマ部１３と、ジャイロセンサ１４と、記憶部１５とを備えている。
【００２２】
投影部２は、情報を表示する表示画像を被投影面６（例えば、天井）に投影する。投影部２は、レーザ光源部２０と、コリメートレンズ（２１Ｒ、２１Ｇ、２１Ｂ）と、ダイクロイックミラー（２２Ｒ、２２Ｇ、２２Ｂ）と、可変焦点装置２３と、ＭＥＭＳミラー２４と、距離検出部２５とを備えている。
【００２３】
レーザ光源部２０は、赤色（Ｒ）と、緑色（Ｇ）と、青色（Ｂ）との３原色のレーザ光を出射するレーザ光源装置である。レーザ光源部２０は、赤色（Ｒ）のレーザ光を出射するレーザ光源２０Ｒと、緑色（Ｇ）のレーザ光を出射するレーザ光源２０Ｇと、青色（Ｂ）のレーザ光を出射するレーザ光源２０Ｂとを備えている。レーザ光源部２０において、各レーザ光源（２０Ｒ、２０Ｇ、２０Ｂ）から出射される光の強度は個別に制御される。
【００２４】
レーザ光源２０Ｒは、赤色（Ｒ）のレーザ光をコリメートレンズ２１Ｒに向けて出射する。また、レーザ光源２０Ｇは、緑色（Ｇ）のレーザ光をコリメートレンズ２１Ｇに向けて出射する。また、レーザ光源２０Ｂは、青色（Ｂ）のレーザ光をコリメートレンズ２１Ｂに向けて出射する。
【００２５】
コリメートレンズ２１Ｒは、レーザ光源２０Ｒから出射された赤色（Ｒ）のレーザ光を平行光にして、ダイクロイックミラー２２Ｒに出射する。
コリメートレンズ２１Ｇは、レーザ光源２０Ｇから出射された緑色（Ｇ）のレーザ光を平行光にして、ダイクロイックミラー２２Ｇに出射する。
コリメートレンズ２１Ｂは、レーザ光源２０Ｂから出射された青色（Ｂ）のレーザ光を平行光にして、ダイクロイックミラー２２Ｂに出射する。
【００２６】
ダイクロイックミラー（２２Ｒ、２２Ｇ、２２Ｂ）は、３原色光のそれぞれの光線の波長のみを反射し、可変焦点装置２３に出射する。すなわち、ダイクロイックミラー２２Ｒは、コリメートレンズ２１Ｒを介してレーザ光源２０Ｒから出射された赤色（Ｒ）のレーザ光を反射し、可変焦点装置２３に出射する。また、ダイクロイックミラー２２Ｇは、コリメートレンズ２１Ｇを介してレーザ光源２０Ｇから出射された緑色（Ｇ）のレーザ光を反射し、可変焦点装置２３に出射する。また、ダイクロイックミラー２２Ｂは、コリメートレンズ２１Ｂを介してレーザ光源２０Ｂから出射された青色（Ｂ）のレーザ光を反射し、可変焦点装置２３に出射する。
このように、ダイクロイックミラー（２２Ｒ、２２Ｇ、２２Ｂ）は、赤色（Ｒ）、緑色（Ｇ）、及び青色（Ｂ）のレーザ光を合成した光線を、可変焦点装置２３に出射する。
【００２７】
可変焦点装置２３は、液晶レンズを有し、液晶レンズへの印加電圧によって出射光線のビーム径を制御する。可変焦点装置２３は、例えば、投影部２が投影する表示画像の焦点（フォーカス）を制御する。可変焦点装置２３は、ビーム径を制御した光線をＭＥＭＳミラー２４に出射する。
【００２８】
ＭＥＭＳミラー２４は、可変焦点装置２３から出射された光線を反射して、走査方式によって被投影面６に画像を形成する。ＭＥＭＳミラー２４は、例えば、アクチュエータとマイクロミラーによって構成される２軸のＭＥＭＳミラーであり、Ｘ方向（横方向）とＹ方向（縦方向）にマイクロミラーの角度を制御するマイクロミラーに入射した光線は被投影面６上を走査するように反射される。この時、投影部２は、ＲＧＢレーザ光の色や強度を個別に変調して制御しているので、映像の各画素に対して、ＭＥＭＳミラー２４から出射される光の色と強度を制御して被投影面６に投影し、ＣＲＴ（Cathode-ray Tube）ディスプレイのように高速で走査することで画像を形成する。このように、投影部２は、レーザ光線を被投影面６上で走査することで画像を形成し、且つ被投影面６上の表示画像のサイズを自由に変化させることができる。
【００２９】
距離検出部２５は、例えば、赤外線や超音波などを利用して、被投影面６と投影部２との間の距離を検出する。距離検出部２５は、検出した被投影面６と投影部２との間の距離を示す情報を後述しる制御部４に出力する。
【００３０】
姿勢維持部５は、投影部２を支持するとともに天井に対する投影部２の投影姿勢を維持する。つまり、姿勢維持部５は、店員３１の姿勢に関わらず投影方向が常に鉛直となるように、投影部２の投影姿勢を維持することで、常に天井に表示画像が投影されるようにしている。また、姿勢維持部５は、投影部２の投影方向を変更する駆動部５１を備えている。
駆動部５１は、制御部４の指示に基づいて、投影部２の投影方向が一定になるように、投影部２の投影方向を変更する。
【００３１】
入力部１１は、例えば、操作キーなどであり、使用者である店員３１からの情報を受け付ける。入力部１１は、例えば、店員３１の資格情報などの店舗内での役割（係）を示す役割情報、又は役割情報の設定を示す設定情報などを店員３１から受け付け、制御部４に送信する。
【００３２】
エリア検出部１２は、例えば、店舗内の売り場などのエリア（場所）を検出する。エリア検出部１２は、例えば、店舗の各エリアに設置されているビーコンから出力される情報を取得することにより、売り場などのエリア（場所）を検出する。エリア検出部１２は、検出したエリアを示すエリア情報を制御部４に出力する。
【００３３】
タイマ部１３は、カレンダ機能及び時計機能を有し、日付（例えば、年月日）及び時刻を示す情報を制御部４に出力する。
ジャイロセンサ１４（姿勢検出部の一例）は、店員３１（又は投影部２）の姿勢データを検出し、検出した姿勢データを制御部４に出力する。
【００３４】
記憶部１５は、プロジェクタ１の各種処理に利用する情報を記憶する。記憶部１５は、例えば、店員３１の資格情報（役割情報）、投影部２に投影させる表示画像（投影画像）などを記憶する。記憶部１５は、店員３１の役割、状況などに応じて表示させる、例えば、図３に示すような表示画像を記憶している。すなわち、記憶部１５は、店員３１の役割、状況などを示す識別情報と、表示画像とを対応付けて記憶する。なお、図３に示す表示画像の例の詳細については、後述する。
また、記憶部１５は、例えば、店員３１の休憩時間帯を示す情報を含む勤務スケジュール情報を記憶する。
【００３５】
制御部４は、例えば、ＣＰＵ（Central Processing Unit）などを含むプロセッサであり、プロジェクタ１を統括的に制御する。制御部４は、例えば、ジャイロセンサ１４から店員３１（又は投影部２）の姿勢データを取得して、取得した姿勢データに基づいて、姿勢維持部５の駆動部５１を制御する。また、制御部４は、例えば、投影部２の距離検出部２５が検出した被投影面６と投影部２との間の距離に基づいて、可変焦点装置２３及びＭＥＭＳミラー２４を制御して、投影部２が投影する表示画像のサイズ及び焦点を調整する。また、制御部４は、例えば、入力部１１、エリア検出部１２、及びタイマ部１３から取得した情報（例えば、店員３１に関する情報）に基づいて、表示画像を切り替える制御を実行する。ここで、表示画像を切り替える制御には、表示画像を変更する処理、表示画像を表示させない処理などが含まれる。
また、制御部４は、情報取得部４１と、投影制御部４２と、姿勢制御部４３とを備えている。
【００３６】
情報取得部４１は、距離検出部２５、入力部１１、エリア検出部１２、タイマ部１３、及びジャイロセンサ１４から各種情報を取得する。情報取得部４１は、例えば、距離検出部２５から投影部２の距離検出部２５が検出した被投影面６と投影部２との間の距離を示す距離情報を取得し、取得した距離情報を投影制御部４２に出力する。
【００３７】
また、情報取得部４１は、例えば、入力部１１から店員３１の資格情報などの店舗内での役割（係）を示す役割情報、又は役割情報の設定を示す設定情報を取得し、取得した役割情報又は設定情報を投影制御部４２に出力する。また、情報取得部４１は、例えば、エリア検出部１２からエリア情報を取得し、取得したエリア情報を投影制御部４２に出力する。また、情報取得部４１は、例えば、タイマ部１３から時刻情報を取得し、取得した時刻情報を投影制御部４２に出力する。
また、情報取得部４１は、例えば、ジャイロセンサ１４から店員３１（又は投影部２）の姿勢データを取得して、取得した姿勢データを姿勢制御部４３に出力する。
【００３８】
投影制御部４２は、情報取得部４１が取得した各種情報に基づいて、投影部２を制御する。投影制御部４２は、例えば、情報取得部４１が取得した店員３１に関する情報に応じて、投影部２に投影させる表示画像を変更する。ここで、店員３１に関する情報とは、例えば、店員３１の役割情報、店員３１の現在のエリア情報（場所情報）などである。
例えば、投影制御部４２は、情報取得部４１が入力部１１から取得した店員３１の役割情報に応じて、投影部２に投影させる表示画像（投影させる表示画像に表示する情報）を変更する（切り替える）。すなわち、投影制御部４２は、記憶部１５が記憶する表示画像のうちから、当該店員３１の役割情報に対応する表示画像を取得する。投影制御部４２は、取得した表示画像を投影部２に投影させる。
【００３９】
また、例えば、投影制御部４２は、情報取得部４１がエリア検出部１２から取得したエリア情報（場所情報）に応じて、投影部２に投影させる表示画像（投影させる表示画像に表示する情報）を変更する（切り替える）。すなわち、投影制御部４２は、記憶部１５が記憶する表示画像のうちから、当該店員３１の役割情報に対応する表示画像を取得する。投影制御部４２は、取得した表示画像を投影部２に投影させる。
【００４０】
また、例えば、投影制御部４２は、情報取得部４１がタイマ部１３から取得した時刻情報と、記憶部１５が記憶する勤務スケジュール情報とに基づいて、投影部２に投影させる表示画像を変更する。すなわち、投影制御部４２は、取得した時刻情報が、例えば、勤務スケジュール情報のうち休憩時間帯に対応する場合に、投影部２に表示画像の投影を停止させる。また、投影制御部４２は、取得した時刻情報が、例えば、勤務スケジュール情報のうち勤務時間帯に対応する場合に、投影部２に表示画像を投影させる。また、投影制御部４２は、取得した時刻情報が、例えば、タイムセールを示す時間帯である場合に、表示画像をタイムセールに対応した表示画像に変更し、変更した表示画像を投影部２に投影させる。このように、投影制御部４２は、時間帯に応じて、投影部２に投影させる表示画像に表示する情報を変更する。
【００４１】
また、投影制御部４２は、例えば、投影部２の距離検出部２５によって検出された距離情報に基づく被投影面６に対する投影部２の相対位置に応じて、表示画像の大きさあるいはフォーカス（焦点）を調整する。例えば、店員３１の身長により、被投影面６と投影部２との間の距離が変化する。また、店員３１が屈み込んだ場合や、姿勢を変えた場合にも、被投影面６と投影部２との間の距離が変化することがある。このような場合に、投影制御部４２は、距離検出部２５によって検出された距離情報に基づいて、表示画像の大きさが一定になり、フォーカス（焦点）が合うように、投影部２の可変焦点装置２３及びＭＥＭＳミラー２４を制御する。
【００４２】
姿勢制御部４３は、情報取得部４１がジャイロセンサ１４から取得した姿勢情報に基づいて、投影部２が常に天井に表示画像を投影するように、姿勢維持部５の駆動部５１を制御する。
【００４３】
次に、図３を参照して、本実施形態によるプロジェクタ１の表示画像の例を説明する。
図３は、本実施形態によるプロジェクタ１の表示画像の例を示す図である。
図３（Ａ）は、店員３１が災害時や緊急時に顧客を店舗外や店舗内の安全な場所へと案内する避難誘導担当であることを示す表示画像Ａである。
また、図３（Ｂ）は、店員３１が商品の場所、施設やサービスの案内などを顧客に案内するインフォメーション担当であることを示す表示画像Ｂである。
【００４４】
また、図３（Ｃ）は、店員３１が薬剤師の資格を有していることを示す表示画像Ｃである。
また、図３（Ｄ）は、店員３１がビューティーカウンセラーの資格を有していることを示す表示画像Ｄである。
また、図３（Ｅ）は、店員３１が管理栄養士の資格を有していることを示す表示画像Ｅである。
【００４５】
また、図３（Ｆ）は、店員３１がタイムセールを実施中であることを示す表示画像Ｆである。
また、図３（Ｇ）は、セール期間中であることを示す表示画像Ｇである。
また、図３（Ｈ）は、店員３１が接客中であることを示す表示画像Ｈである。
プロジェクタ１は、店員３１の役割情報、又はエリア情報、あるいは時間帯などに応じて、上述した表示画像Ａ〜表示画像Ｈを切り替えて天井に投影する。
【００４６】
次に、図面を参照して、本実施形態によるプロジェクタ１の動作について説明する。
図４は、本実施形態によるプロジェクタ１の動作の一例を示すフローチャートである。
図４に示すように、プロジェクタ１の制御部４は、まず、役割設定の入力があるか否かを判定する（ステップＳ１０１）。すなわち、制御部４は、例えば、入力部１１に店員３１の役割情報の設定を変更する入力が受け付けられたか否かを判定する。制御部４は、役割設定の入力がある場合（ステップＳ１０１：ＹＥＳ）に、処理をステップＳ１０２に進める。また、制御部４は、役割設定の入力がない場合（ステップＳ１０１：ＮＯ）に、処理をステップＳ１０４に進める。
【００４７】
ステップＳ１０２において、制御部４の情報取得部４１は、入力部１１から役割情報を取得する。情報取得部４１は、例えば、入力部１１が店員３１から受け付けた、店員３１の資格情報などの店舗内での役割（係）を示す役割情報を取得する。情報取得部４１は、取得した役割情報を投影制御部４２に出力する。
【００４８】
次に、投影制御部４２は、役割情報に応じて表示画像を変更する（ステップＳ１０３）。投影制御部４２は、例えば、取得した役割情報に対応する表示画像を記憶部１５から取得し、投影部２に投影させる表示画像を取得した表示画像に変更する。例えば、役割情報が薬剤師である場合、投影制御部４２は、記憶部１５から薬剤師に対応する表示画像（例えば、図３（Ｃ）の表示画像Ｃ）を取得し、投影部２に投影させる表示画像を、当該表示画像Ｃに変更する。
【００４９】
次に、ステップＳ１０４において、情報取得部４１は、エリア情報を取得する。すなわち、情報取得部４１は、エリア検出部１２から売り場のエリア情報（場所情報）を取得する。情報取得部４１は、取得したエリア情報を投影制御部４２に出力する。
【００５０】
次に、投影制御部４２は、エリア情報に応じて表示画像を変更する（ステップＳ１０５）。投影制御部４２は、例えば、取得したエリア情報に対応する表示画像を記憶部１５から取得し、投影部２に投影させる表示画像を取得した表示画像に変更する。例えば、エリア情報が化粧品売り場である場合、投影制御部４２は、記憶部１５からビューティーカウンセラーに対応する表示画像（例えば、図３（Ｄ）の表示画像Ｄ）を取得し、投影部２に投影させる表示画像を、当該表示画像Ｄに変更する。
【００５１】
次に、情報取得部４１は、時刻情報を取得する（ステップＳ１０６）。情報取得部４１は、タイマ部１３から現在の時刻情報を取得する。情報取得部４１は、取得した時刻情報を投影制御部４２に出力する。
【００５２】
次に、投影制御部４２は、表示指定の時間帯か否かを判定する（ステップＳ１０７）。投影制御部４２は、取得した時刻情報が示し時刻が、例えば、記憶部１５が記憶するスケジュール情報に含まれる勤務時間帯に一致するか否かによって、表示指定の時間帯か否かを判定する。なお、ここでは、投影制御部４２は、勤務時間帯である場合を表示指定の時間帯と判定し、休憩時間の時間帯である場合に表示指定の時間帯でない（非表示指定の時間帯である）と判定するものとする。投影制御部４２は、表示指定の時間帯である場合（ステップＳ１０７：ＹＥＳ）に、処理をステップＳ１０８に進める。また、投影制御部４２は、表示指定の時間帯でない場合（ステップＳ１０７：ＮＯ）に、処理をステップＳ１０９に進める。
【００５３】
ステップＳ１０８において、投影制御部４２は、投影部２に表示画像を投影させる。すなわち、この場合は、表示指定の時間帯である場合であるので、投影制御部４２は、上述の処理により変更又は設定された表示画像を投影部２に投影させる。ステップＳ１０８の処理後に、投影制御部４２は、処理をステップＳ１０１に戻す。
【００５４】
また、ステップＳ１０９において、投影制御部４２は、投影部２に表示画像の投影を停止させる。すなわち、この場合は、表示指定の時間帯でない場合であるので、投影制御部４２は、上述の処理により変更又は設定された表示画像の投影を投影部２に停止させる。ステップＳ１０９の処理後に、投影制御部４２は、処理をステップＳ１０１に戻す。
【００５５】
次に、図５及び図６を参照して、本実施形態のプロジェクタ１の表示画像の投影例を説明する。
図５は、従来の顧客の状況と、本実施形態によるプロジェクタ１の動作の一例とを説明する図である。
図５（Ａ）は、店舗内での従来の顧客の状況を示している。
図５（Ａ）において、例えば、ドラッグストアなどの店舗の例を示し、店舗は、天井６１（被投影面６の一例）と壁６２（被投影面６の一例）とを備えている。
【００５６】
図５（Ａ）に示すように、例えばドラッグストアなどの店舗において、店舗を訪れた顧客３０が、複数の店員３１（被装着体）の中から薬剤師の資格を持った店員３１を探すことは容易ではない。これまで顧客３０は、自分の近くにいる店員３１に声をかけたり、離れた所にいる店員３１に近づいて名札等を直接確認したりする必要があった。
【００５７】
これに対して、図５（Ｂ）に示すように、各店員３１（被装着体）がユニフォーム５０を着用し、ユニフォーム５０に内蔵されたプロジェクタ１により自分の情報を示す表示画像を天井６１に向かって投影させることで、自身の居場所を含む所定の情報を顧客３０に向けて発信する。
【００５８】
図５（Ｂ）に示す例では、例えば、店員３１Ｅは、管理栄養士の資格を保有しており、店員３１Ｅのユニフォーム５０に内蔵されたプロジェクタ１は、管理栄養士の資格を保有していることを示す表示画像Ｅを天井６１に投影させる。
また、店員３１Ｂは、インフォメーション担当であり、店員３１Ｂのユニフォーム５０に内蔵されたプロジェクタ１は、インフォメーション担当であることを示す表示画像Ｂを天井６１に投影させる。
また、店員３１Ｃは、薬剤師の資格を保有しており、店員３１Ｃのユニフォーム５０に内蔵されたプロジェクタ１は、薬剤師の資格を保有していることを示す表示画像Ｃを天井６１に投影させる。
この場合、店舗を訪れた顧客３０が、例えば、薬剤師の資格を有する店員３１から説明を受けたい場合には、店舗内で天井６１を見上げるだけでその店員３１Ｃ（３１）を簡単に見つけ出すことができる。
【００５９】
また、図６は、本実施形態によるプロジェクタ１の動作の別の一例を説明する図である。
この図に示す例は、店員３１が、売り場３８のエリアを移動し、さらに売り場３８からバックヤード３９に移動した場合に投影される表示画像を示している。
例えば、店員３１が、売り場３８のインフォメーション担当のエリアにいる場合に、プロジェクタ１は、インフォメーション担当であることを示す表示画像Ｂを天井６１に投影させる。
【００６０】
そして、店員３１が、売り場３８内の化粧品売り場のエリアに移動した場合に、プロジェクタ１は、インフォメーション担当であることを示す表示画像Ｂから、ビューティーカウンセラーであることを示す表示画像Ｄに切り替えて、天井６１に投影させる。なお、この場合、店員３１が、インフォメーション担当のエリアに戻った場合には、プロジェクタ１は、インフォメーション担当であることを示す表示画像Ｂに表示画像を戻す。
このように、プロジェクタ１は、店員３１が移動した売り場（エリア）に合わせて投影する表示画像を変化させるようにする。店員３１が移動している途中に顧客から声をかけられることもあるため、プロジェクタ１は、店員３１の移動位置に応じて表示内容を次々と切り替えるようにしてもよい。
【００６１】
また、さらに、店員３１が、売り場３８からバックヤード３９に移動した場合に、プロジェクタ１は、表示画像の投影を停止させる。なお、この場合、店員３１がバックヤード３９から売り場３８に戻れば、プロジェクタ１は、表示画像の投影を再開する。すなわち、プロジェクタ１は、店員３１が売り場３８を離れてバックヤード３９に移動すると自動的に表示がＯＦＦになり、店員３１が再び売り場３８に戻ると再度表示される。
このように、プロジェクタ１は、エリア情報に応じて、投影部２に投影させる表示画像（表示する情報）を変更する。
【００６２】
また、図示は省略するが、プロジェクタ１は、例えば、タイムセールの時間帯に、店員３１がタイムセールを実施中であることを示す表示画像Ｆ（図３（Ｆ））を投影するようにする。すなわち、例えば、タイムセールを実施する時間になるとプロジェクタ１は、担当エリアを示す表示から、図３（Ｆ）に示したような「今から半額」というようなタイムセール用の表示画像Ｆに切り替える。
また、例えば、店員３１の休憩時間の時間帯になった場合には、プロジェクタ１は、表示画像の投影を停止させる。また、店員３１の休憩時間の時間帯が終了した場合には、プロジェクタ１は、表示画像の投影を再開する。
また、例えば、店員３１の担当エリアが午前と午後とで変わる場合に、プロジェクタ１は、時間によって担当エリアを示す表示画像を切り替えてもよい。
このように、プロジェクタ１は、時間帯（又は予め定められたスケジュール情報）に応じて、投影部２に投影させる表示画像を変更する（切り替える）。
【００６３】
また、図示は省略するが、プロジェクタ１は、単に店員３１であることを示す表示画像を投影してもよい。プロジェクタ１は、例えば、店員３１が自分の担当エリアにいる間は、「○○説明係」などの表示画像を投影しておき、担当エリアから離れると、投影される表示画像が「○○説明係」から単に店員３１であることを示す表示に切り替わるようにしてもよい。さらに、プロジェクタ１は、店員３１が担当エリアに戻ると同時に、単なる店員３１を示す表示画像から、再度「○○説明係」に切り替えてもよい。
【００６４】
なお、上述した例では、投影制御部４２は、店員３１の役割情報に応じて、表示画像を変更する例を説明したが、店員３１の状況に応じて、表示画像を変更するようにしてもよい。例えば、入力部１１が、店員３１が接客中であることを示す情報を受け付けた場合に、情報取得部４１が、当該接客中であることを示す情報を取得し、投影制御部４２に出力する。そして、投影制御部４２は、店員３１が接客中であることを示す情報を取得した場合に、例えば、図３（Ｈ）に示す店員３１が接客中であることを示す表示画像Ｈに表示画像を変更するようにしてもよい。すなわち、顧客３０から声をかけられた際に、店員３１が入力部１１を操作することで、プロジェクタ１は、「接客中」という表示に切り替えてもよい。このように、店員３１に関する情報には、店員３１の状況を示す情報が含まれ、プロジェクタ１は、店員３１の状況（例えば、接客状況など）に応じて、投影部２に投影させる表示画像に表示する情報を変更するようにしてもよい。
【００６５】
以上説明したように、本実施形態によるプロジェクタ１は、投影部２と、支持部１０と、制御部４とを備えている。投影部２は、情報を表示する表示画像を被投影面６（例えば、天井６１）に投影する。支持部１０は、投影部２を支持するとともに、移動可能な被装着体（例えば、店員３１）に装着される。制御部４は、移動可能な被装着体（例えば、店員３１）に関する情報（例えば、役割情報、状況を示す情報、エリア情報など）を取得し、移動可能な被装着体（例えば、店員３１）に関する情報に応じて、投影部２に投影させる表示画像を変更する。
これにより、本実施形態によるプロジェクタ１は、移動可能な被装着体（例えば、店員３１）に関する情報に応じて、表示画像を切り替えるので、サービス提供側の情報を周囲の人に効率よく知らせることができる。
【００６６】
被装着体は移動可能であるため、移動により被装着体に関する情報（例えば、役割情報や状況を示す情報など）が様々に変化する。本実施形態によるプロジェクタ１は、様々に変化する被装着体に関する情報に応じて適切に表示画像を変更することができる。よって、本実施形態によるプロジェクタ１は、サービス提供側の情報を周囲の人に効率よく知らせることができる。
例えば、被装着体が店員３１である場合には、本実施形態によるプロジェクタ１は、店員３１の役割や状況に応じて適切に表示画像を変更するので、顧客は、店員３１に関する情報やサービス情報を容易に視認することができ、顧客の利便性を向上させることができる。すなわち、本実施形態によるプロジェクタ１は、顧客の満足度を向上させることができる。
【００６７】
また、本実施形態では、移動可能な被装着体に関する情報（例えば、役割情報や状況を示す情報など）と、表示画像とを対応付けて記憶する記憶部１５を備えている。制御部４は、移動可能な被装着体に関する情報に対応する表示画像を記憶部１５から取得し、取得した当該表示画像を投影部２に投影させる。
これにより、本実施形態によるプロジェクタ１は、移動可能な被装着体に関する情報に対応する表示画像を適切に取得することができるので、簡易な手段により適切に表示画像を変更することができる。
【００６８】
また、本実施形態では、移動可能な被装着体には、投影部２を装着する使用者（例えば、店員３１）が含まれ、移動可能な被装着体に関する情報には、使用者（例えば、店員３１）の役割を示す役割情報（例えば、薬剤師などの資格やインフォメーション担当などを示す情報）が含まれる。制御部４は、役割情報を取得し、取得した役割情報に応じて、投影部２に投影させる表示画像に表示する情報を変更する。
これにより、本実施形態によるプロジェクタ１は、使用者の役割を周囲の人（例えば、顧客など）に効率よく知らせることができる。例えば、使用者が店員３１である場合に、顧客は、店員３１の役割や資格を投影画像により知ることができる。そのため、顧客は、上述した図５（Ｂ）に示すように、店舗内で天井６１を見上げるだけで、探している役割の店員３１を簡単に見つけ出すことができる。
【００６９】
また、本実施形態では、移動可能な被装着体に関する情報には、使用者（店員３１）の場所を示す場所情報（例えば、売り場のエリア情報）が含まれる。制御部４は、場所情報を取得し、取得した場所情報に応じて、投影部２に投影させる表示画像に表示する情報を変更する。
これにより、本実施形態によるプロジェクタ１は、使用者の場所（例えば、売り場のエリアなど）に応じて、表示画像を適切に変更することができる。
【００７０】
また、本実施形態では、制御部４は、時間帯に応じて、投影部２に投影させる表示画像に表示する情報を変更する。
これにより、本実施形態によるプロジェクタ１は、時間帯に応じて、表示画像を適切に変更することができる。
【００７１】
また、本実施形態では、投影部２は、被投影面６と投影部２との間の距離を検出する距離検出部２５を備える。制御部４は、距離検出部２５によって検出された距離に基づく被投影面に対する投影部２の相対位置に応じて、表示画像の大きさあるいはフォーカスを調整する。
これにより、本実施形態によるプロジェクタ１は、使用者の身長の違いや、姿勢の変動によらずに、安定した表示画像を投影することができる。
【００７２】
［第２の実施形態］
次に、図面を参照して、第２の実施形態によるプロジェクタ１ａについて説明する。
図７は、本実施形態によるプロジェクタ１ａの一例を示す機能ブロック図である。
この図に示すように、プロジェクタ１ａは、投影部２と、制御部４と、姿勢維持部５と、入力部１１と、エリア検出部１２と、タイマ部１３と、ジャイロセンサ１４と、記憶部１５と、通信部１６とを備えている。
【００７３】
なお、プロジェクタ１ａの外観は、図１に示す第１の実施形態によるプロジェクタ１と同様であるのでここではその説明を省略する。
また、図７において、図２に示す構成と同一の構成については同一の符号を付し、その説明を省略する。
【００７４】
なお、本実施形態において、プロジェクタ１ａは、通信部１６を備える点が上述した第１の実施形態と異なる。本実施形態では、プロジェクタ１ａは、通信部１６を介して、他の使用者が使用する他のプロジェクタ１ａが所定の距離内に存在するか否かを検出し、所定の距離内に他のプロジェクタ１ａが存在する場合に、表示画像を変更する一例について説明する。
【００７５】
通信部１６は、例えば、Ｂｌｕｅｔｏｏｔｈ（登録商標）や特定小電力無線通信なとの近距離無線通信により、他装置（例えば、他の使用者が使用する他のプロジェクタ１ａなど）と情報の通信を行う。
【００７６】
本実施形態による投影制御部４２は、他の使用者（例えば、店員３１）が使用する他のプロジェクタ１ａが所定の距離内（例えば、近い距離内）に存在するか否かを、通信部１６を介して判定する。投影制御部４２は、他のプロジェクタ１ａ（他の店員３１）が所定の距離内（例えば、近い距離内）に存在するか否かに応じて、投影部２に投影させる表示画像に表示する情報を変更する。
【００７７】
例えば、投影制御部４２は、他のプロジェクタ１ａ（他の店員３１）が所定の距離内（例えば、近い距離内）に存在する場合に、例えば、同一の表示画像にならないように、投影部２に投影させる表示画像を変更する。この場合、投影制御部４２は、通信部１６を介して、例えば、他のプロジェクタ１ａが投影している表示画像を示す情報を取得し、当該表示画像と異なる表示画像に変更する。
このように、投影制御部４２は、通信部１６を介して取得した他のプロジェクタ１ａが投影する表示画像を示す情報に応じて、投影部２に投影させる表示画像に表示する情報を変更する。
【００７８】
次に、図８を参照して、本実施形態によるプロジェクタ１ａの動作の一例について説明する。
図８は、本実施形態によるプロジェクタ１ａの動作の一例を示すフローチャートである。
この図において、ステップＳ２０１からステップＳ２０５までの処理は、図４に示すステップＳ１０１からステップＳ１０５までの処理と同様であるので、ここではその説明を省略する。
【００７９】
ステップＳ２０６において、制御部４は、所定の距離内に他の店員３１がいるか否かを判定する。すなわち、制御部４は、通信部１６が通信可能な他のプロジェクタ１ａが存在するか否かにより、所定の距離内に他の店員３１がいるか否かを判定する。制御部４は、所定の距離内に他の店員３１がいる場合（ステップＳ２０６：ＹＥＳ）に、処理をステップＳ２０７に進める。また、制御部４は、所定の距離内に他の店員３１がいない場合（ステップＳ２０６：ＮＯ）に、処理をステップＳ２０９に進める。
【００８０】
ステップＳ２０７において、制御部４の情報取得部４１は、通信部１６を介して、他の店員情報を取得する。情報取得部４１は、取得した他の店員情報を投影制御部４２に出力する。
【００８１】
次に、投影制御部４２は、他の店員情報に応じて、表示画像を変更する（ステップＳ２０８）。例えば、投影制御部４２は、他の店員情報（例えば役割情報）が同一である場合には、例えば、当該役割情報とは異なる役割に自装置（プロジェクタ１ａ）を設定し、異なる役割に対応する表示画像に変更する。また、例えば、タイムセールの場合に、投影制御部４２は、他の店員情報に応じて、他の店員３１とは異なるセールス情報を示す表示画像に変更する。
【００８２】
続くステップＳ２０９からステップＳ２１２までの処理は、図４に示すステップＳ１０６からステップＳ１０９までの処理と同様であるので、ここではその説明を省略する。
【００８３】
次に、図９を参照して、本実施形態のプロジェクタ１ａの表示画像の投影例を説明する。
図９は、本実施形態によるプロジェクタ１ａの動作の一例を説明する図である。
この図に示す例は、店員３１Ａが装着しているプロジェクタ１ａが「ＳＡＬＥ」という表示画像を投影しているところに、同様に「ＳＡＬＥ」という表示画像を投影しているプロジェクタ１ａを装着している店員３１Ｂが、近づいた場合における表示画像の変更例を示している。
【００８４】
この図に示すように、店員３１Ｂが、店員３１Ａとの所定の距離以内に近づいた場合に、店員３１Ａが装着するプロジェクタ１ａは、「ＳＡＬＥ」という表示画像から「７０％ＯＦＦ」という表示画像（例えば、図３（Ｇ）に示す表示画像Ｇ）に変更して、天井６１に投影する。すなわち、制御部４は、通信部１６を介して、店員３１Ｂが所定の距離以内に近づいたか否かを判定し、店員３１Ｂが所定の距離以内に近づいた場合に、情報取得部４１は、通信部１６を介して、店員３１Ｂが装着するプロジェクタ１ａが投影する表示画像の情報を取得する。投影制御部４２は、情報取得部４１が取得した店員３１Ｂが装着するプロジェクタ１ａが投影する表示画像の情報に応じて、投影部２に投影させる表示画像を変更する。例えば、図９に示す例では、投影制御部４２は、店員３１Ｂが装着するプロジェクタ１ａの表示画像と一致しないように、異なる表示画像に変更する。
【００８５】
以上説明したように、本実施形態による制御部４は、他の使用者（例えば、他の店員３１Ｂ）が使用する他のプロジェクタ１ａが所定の距離内に存在するか否かに応じて、投影部２に投影させる表示画像に表示する情報を変更する。
これにより、本実施形態によるプロジェクタ１ａは、例えば、複数の使用者（例えば、店員３１）が存在している場合に、表示内容の重複を避けることができ、周囲の人により多くの情報を効率よく知らせることができる。
【００８６】
また、本実施形態では、プロジェクタ１ａは、他の使用者（例えば、他の店員３１Ｂ）が使用する他のプロジェクタ１ａと通信する通信部１６を備える。制御部４は、通信部１６を介して取得した他のプロジェクタ１ａが投影する表示画像を示す情報に応じて、投影部２に投影させる表示画像に表示する情報を変更する。
これにより、本実施形態によるプロジェクタ１ａは、例えば、複数台が連系して周囲の人により多くの情報を効率よく知らせることができる。
【００８７】
なお、本発明は、上記の各実施形態に限定されるものではなく、本発明の趣旨を逸脱しない範囲で変更可能である。
例えば、上記の各実施形態において、役割情報、エリア情報、及び時間帯に応じて表示画像を切り替える例を説明したが、役割情報、エリア情報、及び時間帯のうちのいずれか１つに応じて表示画像を切り替えるようにしてもよい。
また、上記の各実施形態において、時間帯に応じて表示画像を切り替える例を説明したが、曜日に応じて表示画像を切り替えるようにしてもよいし、所定のスケジュールに従って表示画像を切り替えるようにしてもよい。
【００８８】
また、上記の各実施形態において、被投影面６の一例として、天井６１に表示画像を投影する例を説明したが、壁６２や床などに投影するようにしてもよい。
また、上記の各実施形態において、一例として使用場所を店舗とし、移動可能な被装着体を店員３１である場合の例を説明したが、これに限定されるものではない。例えば、使用場所としては、オフィスや工場などに適用してもよいし、移動可能な被装着体として、従業員や作業員に適用すてもよい。例えば、プロジェクタ１（１ａ）が内蔵された会社の制服等を社員が着用することにより、他の社員の状況を簡単に把握することができる。
【００８９】
従来、大企業などにおいては社員数が多く、社員どうしの間で誰がどの部門に所属しているのか把握しきれていない。また、他の部門を訪れたとしても、どこに誰が座っているのか分かりにくいという問題があった。そこで、プロジェクタ１（１ａ）を各社員が身に付けることによって、自分の情報（所属部門、担当業務、勤務状況など）をオフィスの天井６１に投影させることが可能となる。
オフィスでの表示方法としては、例えば、プロジェクタ１（１ａ）は、使用者が所属している部門では担当業務を具体的に示す表示画像（例えば、「出願担当」など）を投影し、他の部門に移動した場合には、自分の所属部門を示す表示画像（例えば、「特許部門」）を投影するようにしてもよい。また、プロジェクタ１（１ａ）は、自分のデスクにいる場合と会議コーナーにいる場合とで、「在席中」から「会議中」へと投影画像を変えてもよい。
また、例えば、予め役割の決まっている作業者の位置関係がダイナミックに変化するような場合など、作業者の位置確認や役割を視認しながら各作業者が作業を行うことができるので、プロジェクタ１（１ａ）は、作業効率（業務効率）を向上させることができる。
【００９０】
また、プロジェクタ１（１ａ）は、例えば、顧客３０への情報提供だけでなく、店員３１同士の情報の共有に用いることも可能である。例えば、プロジェクタ１（１ａ）が、個々の店員３１の勤務内容に応じた表示画像を天井６１に投影することによって、店員３１同士が互いの状況を把握しやすくなり、作業効率を向上させることができる。
【００９１】
また、上記の各実施形態において、プロジェクタ１（１ａ）は、ユニフォーム５０にプロジェクタ１を設けたが、ユニフォーム５０は洗濯する必要があるため、ユニフォーム５０に対してプロジェクタ１（１ａ）が取り外し可能に取り付けられていることが望ましい。
【００９２】
また、プロジェクタ１（１ａ）を設ける位置もユニフォーム５０の肩部分に関わらず、それ以外の場所にプロジェクタ１（１ａ）を取り付けても構わない。
さらに、上記の各実施形態では、プロジェクタ１（１ａ）をジャケットタイプのユニフォーム５０に取り付けているが、これ以外にも、例えば、エプロンなどのポケットに設けてもよいし、腰のベルトに装着するようにしてもよい。また、バッテリ３も同様に、内ポケットに関わらずそれ以外の場所に取り付けるようにしてもよい。
【００９３】
また、上記の各実施形態において、移動可能な被装着体が人（例えば、店員３１）である例を説明したが、移動可能な被装着体は、人以外であってもよい。例えば、ショッピングカートに上述したプロジェクタ１（１ａ）を取り付けて、売り場ごとのお勧め商品などの情報を天井６１に投影するようにしてもよい。また、例えば、工場内の無人搬送車に上述したプロジェクタ１（１ａ）を取り付けて、搬送物を示す表示画像を天井６１に投影し、無人搬送車の位置及び搬送物を周囲から視認できるようにしてもよい。
【００９４】
また、上記の各実施形態において、姿勢制御部４３は、ジャイロセンサ１４を利用して、姿勢維持部５に投影部２の投影姿勢を維持させる制御をする例を説明したが、これに限定されるものではなく、例えば、加速度センサなどを利用して制御するようにしてもよい。
【００９５】
なお、上述したプロジェクタ１（１ａ）は、内部に、コンピュータシステムを有している。そして、上述したプロジェクタ１（１ａ）が備える各構成の機能を実現するためのプログラムをコンピュータ読み取り可能な記録媒体に記録して、この記録媒体に記録されたプログラムをコンピュータシステムに読み込ませ、実行することにより上述したプロジェクタ１（１ａ）が備える各構成における処理を行ってもよい。なお、ここでいう「コンピュータシステム」とは、プロジェクタ１（１ａ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００９６】
また、上述した機能の一部又は全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００９７】
１，１ａ…プロジェクタ、２…投影部、３…バッテリ、４…制御部、５…姿勢維持部、６…被投影面、１０…支持部、１１…入力部、１２…エリア検出部、１３…タイマ部、１４…ジャイロセンサ、１５…記憶部、１６…通信部、２０…レーザ光源部、２０Ｒ，２０Ｂ，２０Ｇ…レーザ光源、２１Ｒ，２１Ｂ，２１Ｇ…コリメートレンズ、２２Ｒ，２２Ｂ，２２Ｇ…ダイクロイックミラー、２３…可変焦点装置、２４…ＭＥＭＳミラー、２５…距離検出部、３０…顧客、３１，３１Ａ，３１Ｂ，３１Ｅ，３１Ｂ，３１Ｃ…店員、３８…売り場、３９…バックヤード、４１…情報取得部、４２…投影制御部、４３…姿勢制御部、５０…ユニフォーム、５１…駆動部、６１…天井、６２…壁、Ａ，Ｂ，Ｃ，Ｄ，Ｅ，Ｆ，Ｇ，Ｈ…表示画像
【図１】
2016134867.tif 000003
【図２】
2016134867.tif 000004
【図３】
2016134867.tif 000005
【図４】
2016134867.tif 000006
【図５】
2016134867.tif 000007
【図６】
2016134867.tif 000008
【図７】
2016134867.tif 000009
【図８】
2016134867.tif 000010
【図９】
2016134867.tif 000011